(57)【要約】【課題】光源から発する光線を有効に分配して明暗区現象を発生させないライトガイドの構造を提供する。【解決手段】ライトガイドの構造は、各光源の出光面上にライトガイド、複数枚の光学膜片及び液晶面板が順に設置される。そのうち、ライトガイドの入光側から有効発光区域の間に一個以上の中空層を形成する。その中空層の一側面若し<は二側面には光線調節部品を設置し、光源の光線がライトガイドの中空層に進入した時、光線ルートが変化し、同時に光線調節部品によって、反射率が増し、各光学膜片に向けて均一に放出され、輝度及び均一性を向上させる。【選択図】図2
0003110288.tif 000002
【実用新案登録請求の範囲】
【請求項１】
各光源の出光面上にライトガイド、複数枚の光学膜片及び液晶面板の順に設置されるバックライトモジュールから構成されたライトガイド構造において、
ライトガイドの入光側から有効発光区域の間に一個以上の中空層を形成し、中空層の一側面に光線調節部品を設置することによって、光源の光線がライトガイドの中空層を通った時に光線ルートが変化し、同時に光線調節部品によって光の分散効果が向上し、光線を有効に分配して放出することを特徴とするライトガイドの構造。
【請求項２】
各光源の出光面上にライトガイド、複数枚の光学膜片及び液晶面板の順に設置されるバックライトモジュールから構成されたライトガイド構造において、
ライトガイドの入光側から有効発光区域の間に一個以上の中空層を形成し、中空層の両側面に光線調節部品を設置することによって、光源の光線がライトガイドの中空層を通った時に光線ルートが変化し、同時に光線調節部品によって光の分散効果が向上し、光線を有効に分配して放出することを特徴とする請求項1記載のライトガイドの構造。
【請求項３】
前記光源は、ライトガイドの端に設置し、ライトガイドの下方には反射板を設置することを特徴とする請求項1もしくは2記載のライトガイドの構造。
【請求項４】
前記ライトガイドは、その一角部に照射進入面を設置し、その照射進入面は欠切形状で、光源は一角部に設置することによって、光線が照射進入面からライトガイドヘ進入し、ライトガイド下方には反射板を設置することを特徴とする請求項1もしくは2記載のライトガイドの構造。
【請求項５】
前記ライトガイドは、反射面もしくは出光面に光線調節構造を形成し、その光線調節構造は各種幾何学形状であることを特徴とする請求項1もしくは2記載のライトガイドの構造。
【考案の詳細な説明】
【技術分野】
【０００１】
本考案は、ライトガイドの構造に関するもので、明暗区現象を発生させない構造である。
【背景技術】
【０００２】
図1は、一般の液晶面板のバックライトモジュール構造断面図である。バックライトモジュールの構造は、液晶面板10底面にライトガイド20が設置され、そのライトガイド20の出光面にプリズム片若しくは拡散片から構成される光学膜片が設置される。ライトガイド20の反射面には反射板40が設置され、両側には光源50が設置される。光源50から放出された光線がライトガイド20に照射されると、ライトガイド20及び反射板40の曲射及び反射作用によって、光線が上に導かれ、プリズム片若しくは拡散片から構成される光学膜片30を通り、平均化された光線が液晶面板10から放出される。
【０００３】
あるものには、ライトガイド20の反射面21には反射機能を具えた光線調節構造22が設置されている。この光線調節構造22の形体には、円形、矩形、線状等異なる形状があり、作用として光源が光線調節構造22を経て反射されると、光源からスムーズに強い光を導き出したり、プリズム片や拡散片等の光学膜片30を変化させ、強い光を導き、光の輝度及び均一化を向上させる。
【考案の開示】
【考案が解決しようとする課題】
【０００４】
解決しようとする問題点は、公知の液晶モジュールが抱える有効な明暗区現象を解決することが出来ない点である。
【課題を解決するための手段】
【０００５】
本考案は、各光源の出光面上にライトガイド、複数枚の光学膜片及び液晶面板が順に設置される。そのうち、ライトガイドの入光側から有効発光区域の間に一個以上の中空層を形成する。その中空層の一側面若しくは二側面に光線調節部品を設置し、光源の光線がライトガイドの中空層に進入した時、光線ルートが変化し、同時に光線調節部品によって、反射率が増し、各光学膜片に向けて均一に放出され、輝度及び均一性を向上させることを最も主要な特徴とする。
【考案の効果】
【０００６】
本考案のライトガイドの構造は、主動的、積極的手段によって光線を有効に分配し、液晶面板の明暗区現象を改善するという利点がある。
【考案を実施するための最良の形態】
【０００７】
以下、本考案の実施例について、図面を参照しながら説明する。
【実施例１】
【０００８】
図2及び図3に示すとおり、上述と同様に液晶面板10底面にライトガイド20を設置し、そのライトガイド20の出光面にプリズム片もしくは拡散片から構成される光学膜片を設置する。またライトガイド20の反射面には反射板40を設置し、両側には光源50を設置する。光源50から放出された光線がライトガイド20に進入すると、ライトガイド20及び反射板40の曲射及び反射作用によって、光線を上へ導き、プリズム片もしくは拡散片から構成される光学膜片30を通り、平均化された光線が液晶面板10から出る。
【０００９】
ライトガイド20の板体内には、入光側Aから有効発光区域Bまでの間に一個以上の中空層23が形成される。この中空層23は連続性(図4参照)もしくは非連続性(図3参照)で、この中空層23の一側面に光線調節部品231を設置する。この光線調節部品231の形状は、円形、矩形、線状等異なる形状で、光源50の光線が中空層23を通ると、光線ルートが変化し、図5に示すように光線を有効に分配し、均一化して放出する。更に光源が光線調節部品231を通って放射されると、光線は拡散機能が強化される。ライトガイド20の反射面21若しくは出光面25には、光反射機能を具えた光線調節構造22が設置される。この光線調節構造2は各種幾何学形状で、光源は二回の光線調節部品の反射作用を経て、光の輝度及び均一化が向上する。
【実施例２】
【００１０】
図6に示すとおり、ライトガイド20の一角部に照射進入面24を設置し、その照射進入面24は、欠切形状とする。そして光源50を一角部に設置し、光線は照射進入面24から入ってライトガイド20へ進む。ライトガイド20下方には反射板40が設置され、中空層23は光源50の位置に相対して設置され、同様に光源50が中空層23を通った時、光線ルートが変化する。
【図面の簡単な説明】
【００１１】
【図１】公知のバックライトモジュール構造指示図である。
【図２】本考案のバックライトモジュール構造指示図である。
【図３】本考案のバックライトモジュールの別角度から見た構造指示図である。
【図４】本考案のバックライトモジュールの別構造指示図である。
【図５】本考案のバックライトモジュールの光線ルート指示図である。
【図６】本考案のバックライトモジュールの別実施例構造分解図である。
【符号の説明】
【００１２】
A  入光側
B  有効発光区域
10  液晶面板
20  ライトガイド
21  反射面
22  光線調節構造
23  中空層
231  光線調節部品
24  照射進入面
25  出光面
30  光学膜片
40  反射面
50  光源
【図１】
0003110288.tif 000003
【図２】
0003110288.tif 000004
【図３】
0003110288.tif 000005
【図４】
0003110288.tif 000006
【図５】
0003110288.tif 000007
【図６】
0003110288.tif 000008